(57)【要約】【課題】ウエストバンド部を着用者の背側において止着する方法で装着する場合においても、おむつ止着部の止め付けが容易であり、且つ着用中におむつのズレ落ちが生じにくい使い捨ておむつを提供すること。【解決手段】左右のウエストバンド部１０の何れかにバンド止着部１１が設けられていると共に、背側部Ｂにおむつ止着部２１が設けられており、バンド止着部１１により、左右のウエストバンド部を着用者の腹側又は背側において止着し、おむつ止着部２１により、背側部Ｂをウエストバンド部１０に止着して着用するようになしてある展開型の使い捨ておむつ１であり、背側部Ｂにおける両側部に、おむつ止着部１０を有するフラップ部２０を有しており、各フラップ部２０に、おむつ幅方向に伸縮する弾性伸縮部２１が形成されている。【選択図】    図１
2004305596.tif 000002
【特許請求の範囲】
【請求項１】
液透過性の表面シート、液不透過性の裏面シート及び両シート間に介在する液保持性の吸収体を具備し、長手方向の一方の部位における両側縁部に、それぞれウエストバンド部が連設され、左右の該ウエストバンド部の少なくとも何れか一方における先端部にバンド止着部が設けられていると共に、長手方向の他方の部位におむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用することができるようになしてある展開型の使い捨ておむつであって、
前記他方の部位における両側部に、前記おむつ止着部を有するフラップ部を有しており、該各フラップ部に、おむつ幅方向に伸縮する弾性伸縮部が形成されている使い捨ておむつ。
【請求項２】
前記各フラップ部は、おむつ幅方向の伸張率が０．８〜１００％である請求項１記載の使い捨ておむつ。
【請求項３】
前記弾性伸縮部は、おむつ幅方向の伸張率が５０〜１００％の伸縮性シートを用いて形成されており、前記おむつ止着部と前記吸収体との間に存在する部分の自然状態下の幅が少なくとも５ｍｍである請求項１記載の使い捨ておむつ。
【発明の詳細な説明】
【０００１】
【発明の属する技術分野】
本発明は、ウエストバンド部を着用者の背側において止着する方法で装着する場合においても、おむつ止着部の止め付けが容易であり、且つ着用中におむつのズレ落ちが生じにくい使い捨ておむつに関する。
【０００２】
【従来の技術及び発明が解決しようとする課題】
従来、展開型の使い捨ておむつとして、液透過性の表面シート、液不透過性の裏面シート、及びこれら両シート間に介在する液保持性の吸収体を具備し、使用時に着用者の腹側に位置する腹側部及び背側に位置する背側部を有するおむつが広く用いられており、展開型の使い捨ておむつの中でも大人が立ったまま装着可能なものとして、上記背側部の左右両側縁にそれぞれウェストバンド部が連設され、左右の該ウェストバンド部の少なくとも何れか一方における先端部にバンド止着部が設けられていると共に上記腹側部の両側部におむつ止着部が設けられており、前記バンド止着部により、左右の該ウエストバンド部を着用者の腹側において止着した後、前記おむつ止着部により、前記腹側部を前記ウエストバンド部に止着して着用するようになしてあるものが知られている。
【０００３】
このようなウエストバンド部を有する使い捨ておむつは、着用者が立位で自分で装着することができるという利点を有するものである。
しかし、介護の現場等においては、被介護者、特に自分で装着できない老人等に対して介護者が装着する場合があり、そのような場合、特に背中が曲がっている老人に対して装着する場合の操作は容易ではない。更に、装着の際に介護者に陰部を見られることに対して抵抗を感じる人もいる。
【０００４】
本発明者らは、このような事情に鑑み、おむつを装着する向きを従来とは逆にして装着することを検討したところ、逆向きに装着した場合には、おむつの装着が却って困難になったり、着用中にずり落ちが生じやすいことが判った。
尚、ウエストバンド部を有する使い捨ておむつにおいて、ウエストバンド部に伸縮性を持たせる技術が知られている（特許文献１，２等参照）。しかし、ウエストバンド部に伸縮性を付与しても、おむつを逆向きに装着した場合には、おむつ止着部のウエストバンド部への止め付けは容易ではなく、また、おむつのずり落ちが生じやすい。
【０００５】
【特許文献１】
特開平１０−５２７８号公報
【特許文献２】
特開平９−２８５４８９号公報
【０００６】
従って、本発明の目的は、ウエストバンド部を着用者の背側において止着する方法で装着する場合においても、おむつ止着部の止め付けが容易であり、且つ着用中におむつのズレ落ちが生じにくい使い捨ておむつを提供することにある。
【０００７】
【課題を解決するための手段】
本発明は、液透過性の表面シート、液不透過性の裏面シート及び両シート間に介在する液保持性の吸収体を具備し、長手方向の一方の部位における両側縁部に、それぞれウエストバンド部が連設され、左右の該ウエストバンド部の少なくとも何れか一方における先端部にバンド止着部が設けられていると共に、長手方向の他方の部位におむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用することができるようになしてある展開型の使い捨ておむつであって、前記他方の部位における両側部に、前記おむつ止着部を有するフラップ部を有しており、該各フラップ部に、おむつ幅方向に伸縮する弾性伸縮部が形成されている使い捨ておむつを提供することにより、前記目的を達成したものである。
【０００８】
【発明の実施の形態】
以下、本発明をその好ましい実施形態に基づき図面を参照しながら説明する。
本発明の一実施形態としての使い捨ておむつ１は、立ったままでも装着可能な成人用のおむつであり、図１に示されるように、液透過性の表面シート２、液不透過性の裏面シート３、及びこれら両シート２，３間に介在する液保持性の吸収体４を有しており、実質的に縦長に形成されている。実質的に縦長とは、ウエストバンド部を除く部分が縦長であれば良い。おむつの長手方向とは、ウエストバンド部を除く部分の長手方向と同方向である。
【０００９】
吸収体４は、表面シート２及び裏面シート３により挟持・固定されており、吸収体４の周縁部におけるウエスト部５とレッグ部６には、おむつ着用者に各部位をフィットさせるためのウエスト部弾性部材５１及びレッグ弾性部材６１が配設されている。
また、使い捨ておむつ１の長手方向左右両側には、それぞれ立体ガード７が形成されている。立体ガード７の自由端には立体ガード弾性部材７１が配されて、ギャザーが形成されている。
【００１０】
使い捨ておむつ１の長手方向の一方の部位Ａの左右両側縁部には、それぞれウェストバンド部１０，１０が連設されており、左右のウェストバンド部１０，１０の少なくとも何れか一方における先端部には、バンド止着部１１が設けられている（以下、左右にウエストバンド部を有する、前記長手方向の一方の部位Ａを、便宜的に腹側部という）。また、長手方向の他方の部位（以下、便宜的に背側部という）Ｂにおける両側部には、各々２つのおむつ止着部２１がおむつ長手方向に離間させて設けられたフラップ部２０を有している。
そして、バンド止着部１１により、図２及び図３に示されるように、左右のウェストバンド部１０ａ，１０ｂを着用者の背側において止着した後、おむつ止着部２１，２１により、背側部Ｂを、相互に連結された状態のウエストバンド部１０に止着して着用することができるようになしてある。
おむつの長手方向の一方の部位及び他方の部位は、おむつ長手方向の端縁それぞれからおむつ全長の１／３位迄の領域である。股下部Ｃは、おむつの長手方向における、着用時に着用者の股下に配される部分である。
【００１１】
各フラップ部２０には、図１に示すように、おむつ幅方向に伸縮する弾性伸縮部２２が形成されている。
本実施形態のおむつ１における弾性伸縮部２２は、おむつ幅方向（フラップ部２０の延出方向に同じ）における該フラップ部２０の一部にのみ形成されている。具体的には、フラップ部２０の延出方向におけるフラップ部の基端２３寄りの位置に設けられており、また、フラップ部２０における、おむつ長手方向と平行な方向の全幅に亘るように形成されている。
【００１２】
フラップ部２０は、股下部Ｃの最小幅部分におけるおむつ両側縁の位置よりもおむつ幅方向の左右外方に延出する部分である。
本実施形態におけるフラップ部２０は、おむつ幅方向に伸縮する弾性伸縮部２２と、おむつ止着部２１が設けられた弾性伸縮性を有しない領域２４とからなる。各フラップ部２０は、弾性伸縮部２２及び該領域２４が連結された構成の複合シートを、背側部Ｂの本体部分における、裏面シート３及び立体ガード７形成用のシート材からなる左右両側縁部に、接着剤、ヒートシール、超音波シール等の公知の接合方法により接合して形成されており、該フラップ部２０には吸収体４が存在していない。
【００１３】
各フラップ部２０は、十分な伸縮幅を確保する観点から、吸収体４の両側縁から延出方向先端までの延出長さＬ１（図１参照）が５〜５０ｃｍであることが好ましく、前記弾性伸縮部は、前記延出長さＬ１に対して１０〜１００％の幅を有することが好ましい。
【００１４】
また、ウエストバンド部を着用者の背側で止着して装着する方法（以下、背側装着ともいう）で装着する場合のおむつ止着部の止め付け易さ及び着用中におけるおむつのズレ防止性を向上させる観点から、フラップ部２０全体のおむつ幅方向の伸張率は０．８〜１００％、特に１０〜５０％であることが好ましい。
また、弾性伸縮部２２は、おむつ幅方向の伸張率が５０〜１００％の伸縮性シートを用いて、おむつ止着部２１と前記吸収体４との間に存在する部分の自然状態下の幅Ｗ１（図１参照）が少なくとも５ｍｍ、好ましくは１０〜４０ｍｍとなるように形成されていることが、ウエストバンド部等に対するおむつ止着部２１の止着容易性や係合力を損なわずに、おむつ止着部の止め付け易さ及び着用中のズレ防止性を向上させることができるので好ましい。
【００１５】
ここで、フラップ部２０及び伸縮性シートそれぞれのおむつ幅方向の伸張率は、以下のようにして測定される。
〔フラップ部の伸張率の測定〕
フラップ部２０から、止着部２１を含み、幅が２５ｍｍ、長さが止着部２１から吸収体側縁部迄のおむつ幅方向の長さに亘る試験片を切り出す。該試験片の止着部２１中心点から吸収体側縁部迄の自然状態下におけるおむつ幅方向の長さを初期長Ｌとする。
テンシロン引張試験器〔（株）オリエンテック社製〕を用い、初期チャック間距離を前記Ｌ、クロスヘッド移動速度３００ｍｍ／ｍｉｎ  、ロードセルの定格出力５ｋｇの条件下で試験片をその長手方向に伸長させ、Ｓ−Ｓ曲線を得る。Ｓ−Ｓ曲線は、弾性変形領域から塑性変形領域に移行する途中に角度が急激に増加する箇所を有するが、該箇所における曲線の曲率半径Ｒが最小となる点における試験片の長さをＬ１とする。伸張率を下記式により算出する。
伸張率（％）＝〔（Ｌ１−Ｌ）／Ｌ〕×１００
【００１６】
〔伸縮性シートの伸張率の測定〕
フラップ部２０から、弾性伸縮部を含む、幅２５ｍｍ、おむつ幅方向の長さ５０ｍｍ以上の試験片を切り出す。試験片の自然状態下における、該試験片の長手方向と同方向の前記弾性伸縮部の長さを初期長Ｌとする。
テンシロン引張試験器〔（株）オリエンテック社製〕を用い、初期チャック間距離を５０ｍｍ、クロスヘッド移動速度３００ｍｍ／ｍｉｎ  、ロードセルの定格出力５ｋｇの条件下で試験片を伸長させ、Ｓ−Ｓ曲線を得る。Ｓ−Ｓ曲線の前記曲率半径Ｒが最小となる点における前記弾性伸縮部の長さをＬ１とする。伸張率を下記式により算出する。
伸張率（％）＝〔（Ｌ１−Ｌ）／Ｌ〕×１００
【００１７】
本実施形態における弾性伸縮部２２は、エラストマー材料からなるシートの片面又は両面に、おむつ幅方向に伸張可能な繊維集合体を積層して一体化してなる積層シートからなる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
おむつ幅方向に伸張可能な繊維集合体としては、スリットの形成等の２次的な加工を施さなくてもそれ自体伸張性を有する不織布、例えばスパンデックスからなる不織布等や、それ自体は伸張性を有しないものにスリットの形成等の２次的な加工により伸張性を付与したもの等を用いることができる。
尚、フラップ部における前記領域２４を構成するシート材としては、使い捨ておむつ等に従来用いられている各種公知の不織布、例えばサーマルボンド不織布、ニードルパンチ不織布、スパンレース不織布等を用いることができる。
【００１８】
フラップ部の全体又は一部を弾性伸縮部とするための伸縮性シートとしては、各種公知の伸縮性シートを用いることができ、特許文献１，２、特開平９−２９０００２号公報、特開平９−２９９４０４号の各公報記載のもの等を用いることもできる。但し、伸張率は上記の範囲とすることが好ましい。
【００１９】
本実施形態のおむつ１においては、両ウェストバンド部１０それぞれにも、おむつ幅方向に伸縮する弾性伸縮部１２が形成されている。
両ウエストバンド部１０は、弾性伸縮部１２及び弾性伸縮性を有しない領域１３が連結された構成の複合シートを、腹側部Ａの本体部分における、裏面シート３及び立体ガード７形成用のシート材からなる左右両側縁部に、接着剤、ヒートシール、超音波シール等の公知の接合方法により接合して形成されている。弾性伸縮部１２及び前記領域１３は、それぞれ前記弾性伸縮部２２及び前記領域２４と同様のシート材を用いて形成することができる。
尚、前記領域１３は、少なくとも裏面シート側の面が、機械的ファスナーの凸部材が直接係合可能な材料からなることが好ましい。そのようなシート材としては、不織布、例えばサーマルボンド不織布、ニードルパンチ不織布、スパンレース不織布等が挙げられる。
バンド止着部１１及びおむつ止着部２１，２１は、その表面に多数の錨形や鉤形のオス型係合部材が配された機械的ファスナーの凸部材により形成されていることが好ましく、機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。
尚、表面シート２、裏面シート３、吸収体４及び立体ガード７等の構成材料としては、使い捨ておむつに従来用いられている各種公知のものを特に制限なく用いることができる。
【００２０】
使い捨ておむつ１を装着するには、先ず、図２に示すように、着用者３０の腹側に腹側部Ａを当接させ、両ウエストバンド部１０ａ，１０ｂを着用者３０の背側にもってくる。そして、一方のウエストバンド部１０ａを、他方のウエストバンド部１０ｂに重ねるようにして、一方のウエストパンド部１０ａの先端部に設けられたバンド止着部１１を、他方のウエストバンド部１０ｂの裏面シート側に係合止着する。そして、背側部Ｂを着用者３０の股間に沿って背側に引き上げ、図３に示すように、背側部Ｂの両側部を持って、左右の弾性伸縮部２２を伸長させながら、おむつ止着部２１，２１を、互いに連結された状態の両ウエストバンド部１０，１０に係合止着する。
【００２１】
本実施形態の使い捨ておむつによれば、おむつ止着部２１を有するフラップ部２０に弾性伸縮部２２が形成されているため、このように、おむつを従来とは逆向きに装着した場合（背側装着した場合）であっても、おむつ止着部２１を、背側に止着した状態のウエストバンド部１０に極めて容易に止め付けることができる。
例えば、従来のおむつにおいては、複数のおむつ止着部を有する場合に、股下部側のおむつ止着部がウエストバンド部に届かない場合も生じ得るが、そのような場合であっても、フラップ部に弾性伸縮部があれば、その弾性伸縮部が伸長することでその止着部も容易にウエストバンド部に止着することができる。
また、背側部（おむつ止着部側の部位）が幅方向に伸張することで、左右のおむつ止着部間の間隔が拡縮されるので、おむつのサイズ適応範囲が広くなる効果があり、小柄な着用者にも大柄な着用者にも対応可能である。
【００２２】
しかも、弾性伸縮部２２の存在によって、立ったり座ったりする動作や背中の曲げ伸ばし動作等に伴う背中の伸び縮みの影響が緩和され、着用中における、おむつのズレ落ち、特に着用者の背中が露出するようなズレが生じにくい。
そのため、自分で装着できない老人等に対してその背側から装着して問題なく使用することができ、それにより、介護者の労力的負担及び着用者の労力的・精神的負担を軽減することができる。
尚、本実施形態のおむつ１は、着用者３０の背側に腹側部Ａを当接させ、両ウエストバンド部１０，１０を着用者３０の腹側において止着して装着することもできる。
【００２３】
本発明の展開型の使い捨ておむつは、上述した実施形態に制限されず、本発明の趣旨を逸脱しない範囲で種々変更が可能である。
例えば、上記実施形態における、ウエスト部弾性伸縮部材５１、レッグ弾性伸縮部材６１及び立体ガード７は、それぞれ一部又は全部を省略することができる。
また、上記実施形態における弾性伸縮部２２は、フラップ部２０の基端２３寄りの一部のみに形成されていたが、フラップ部２０の延出方向の中央より基端２３側の半分を弾性伸縮部２２としたり、図４に示すように、フラップ部２０の全体を弾性伸縮部２２とすることもできる。
また、ウエストバンド部１０の弾性伸縮部１２は省略することもでき、また、図４に示すように、ウエストバンド部１０の全体を弾性伸縮部１２とする等の変形も可能である。
また、おむつ止着部２１は、腹側部におけるおむつ本体部分（ウエストバンド部を除く部分）の、ウエストバンド部の隣接部位に止着されるように設計されていても良く、あるいは、胴囲が特に小さい場合等、特定の着用者に装着する場合に限って、ウエストバンド部の隣接部位に止着されるようなものであっても良い。
【００２４】
【発明の効果】
本発明の使い捨ておむつは、ウエストバンド部を着用者の背側において止着する方法で装着する場合においても、おむつ止着部の止め付けが容易であり、且つ着用中におむつのズレ落ちが生じにくいものである。
【図面の簡単な説明】
【図１】図１は、本発明の一実施形態である使い捨ておむつを平面状に拡げた状態を示す平面図である。
【図２】図２は、図１の使い捨ておむつを装着する途中の状態を着用者の側方から見た状態を示す図である。
【図３】図３は、図１の使い捨ておむつを装着する途中の状態を着用者の背側から見た状態を示す図である。
【図４】図４は、本発明の他の実施形態の使い捨ておむつを示す平面図（図１相当図）である。
【符号の説明】
１  使い捨ておむつ
２  表面シート
３  裏面シート
４  吸収体
１０  ウエストバンド部
１１  バンド止着部
２０  フラップ部
２１  おむつ止着部
２２  弾性伸縮部
Ａ  腹側部（長手方向の一方の部位）
Ｂ  背側部（長手方向の他方の部位）
【図１】
2004305596.tif 000003
【図２】
2004305596.tif 000004
【図３】
2004305596.tif 000005
【図４】
2004305596.tif 000006